(57)【要約】【課題】画像表示装置において、９台を超える複数の画像表示装置の組み合わせでも、コネクタ接続によることなく自動的に判断でき、耐久性および設置作業性に優れた画像表示装置を提供する。【解決手段】多画面の表示装置を構成可能な画像表示装置（１００）において、複数の画像表示装置（１００）同士が連結された状態で、一方の画像表示装置（１００）に設けられた第１センサ（Ｓ１）と他方の画像表示装置（１００）に設けられた第１センサ（Ｓ１）とが、一方の発信部（Ｓ１ａ）と他方の受信部（Ｓ１ｂ）とが対向し、一方の受信部（Ｓ１ｂ）と他方の発信部（Ｓ１ａ）とが対向して配置され、画像表示装置（１００）同士が複数連結されたとき、第１センサ（Ｓ１）による検出結果に基づき、それぞれの画像表示装置（１００）の位置を判定する画像表示装置位置判定部（１２２）を備えることを特徴とするものである。【選択図】図１
2015069200.tif 000002
【特許請求の範囲】
【請求項１】
複数の画像表示装置を連結することで多画面の表示装置を構成可能な画像表示装置において、
前記画像表示装置同士が連結されるときに隣接する位置に、非接触センサが設けられ、
前記非接触センサは、発信部と受信部とを備え、前記画像表示装置同士が連結された状態で、一方の画像表示装置に設けられた非接触センサと他方の画像表示装置に設けられた非接触センサとが、一方の発信部と他方の受信部とが対向して配置されるとともに、一方の受信部と他方の発信部とが対向して配置されるように設けられ、
前記画像表示装置同士が複数連結されたとき、前記非接触センサによる検出結果に基づき、複数連結されたそれぞれの画像表示装置の位置を判定する画像表示装置位置判定手段を備えることを特徴とする画像表示装置。
【請求項２】
前記画像表示装置は、矩形状の表示画面を備え、
前記非接触センサは、前記表示画面の周囲の各側面に各々設けられることを特徴とする請求項１に記載の画像表示装置。
【請求項３】
前記非接触センサは、前記表示画面の周囲の各側面に第１センサから第ｎセンサを含むｎ個のセンサを備え、
前記画像表示装置位置判定手段は、前記第１センサから前記第ｎセンサによる検出結果に基づき、複数連結されたそれぞれの画像表示装置の位置を判定することを特徴とする請求項２に記載の画像表示装置。
【請求項４】
前記第ｎセンサは、同一画像表示装置内の対辺側の第（ｎ−１）センサの検出結果に基づいて、検出状態を決定することを特徴とする請求項３に記載の画像表示装置。
【請求項５】
前記非接触センサは、前記表示画面の周囲の各側面に、所定数以下の前記画像表示装置の各々の位置を検出する第１センサと、所定数を超える前記画像表示装置の各々の位置を検出する第２センサと、を備え、
前記画像表示装置位置判定手段は、前記第１センサと前記第２センサとによる検出結果に基づき、複数連結されたそれぞれの画像表示装置の位置を判定することを特徴とする請求項２に記載の画像表示装置。
【請求項６】
前記第２センサは、同一画像表示装置内の対辺側の第１センサによる検出結果に基づいて、出力信号を発信することを特徴とする請求項５に記載の画像表示装置。
【請求項７】
前記画像表示装置位置判定手段は、前記非接触センサからの出力信号に応じて作成された複数の画像表示装置の位置データに基づき、連結されたそれぞれの画像表示装置の位置を判定することを特徴とする請求項１から６のうちの何れか一項に記載の画像表示装置。
【請求項８】
前記画像表示装置に表示される表示画像情報は、前記画像表示装置位置判定手段により判定された位置の画像表示装置に送信されることを特徴とする請求項１から７のうちの何れか一項に記載の画像表示装置。
【発明の詳細な説明】
【技術分野】
【０００１】
本発明は、画像表示装置に係り、特に、複数の画像表示装置を連結することで多画面の表示装置を構成可能な画像表示装置に関する。
【背景技術】
【０００２】
近年、大型のディスプレイ（画像表示装置）を用いる画像表示システムが知られている。この画像表示システムは、会議やプレゼンテーション等を行う際に多く利用される。
従来、複数の表示装置を映像配信装置に接続して大画面のディスプレイを構成するものが知られている。
【０００３】
このように構成された大画面のディスプレイに表示される表示画像（映像）は、ユーザが表示される状態を見て位置調整を行っていた。
【０００４】
しかしながら、大画面のディスプレイを構成するための表示装置の数が多いと、その表示装置毎に表示画像の位置調整を行う必要があるため、位置調整が煩雑となるという問題があった。
【０００５】
そこで、従来技術として、複数の表示装置を組み合わせて、大画面の表示装置として使用するものにおいて、複数の表示装置が大画面のどの位置に配置されたかを自動的に判断して表示させる技術が開示されている（特許文献１を参照）。
【先行技術文献】
【特許文献】
【０００６】
【特許文献１】特開２０００−２４２２４８号公報
【発明の概要】
【発明が解決しようとする課題】
【０００７】
しかしながら、上述した従来技術では、９台の表示装置の組み合わせまでしか自動的に位置を判断できないという問題があった。
【０００８】
本発明は、上記従来の問題に鑑みてなされたものであって、画像表示装置において、９台を超える複数の画像表示装置の組み合わせでも、コネクタ接続によることなく自動的に判断でき、耐久性および設置作業性に優れた画像表示装置を提供することを目的とする。
【課題を解決するための手段】
【０００９】
上述した課題を解決するための本発明に係る画像表示装置は、次の通りである。
【００１０】
本発明は、複数の画像表示装置を連結することで多画面の表示装置を構成可能な画像表示装置において、前記画像表示装置同士が連結されるときに隣接する位置に、非接触センサを設け、前記非接触センサの構成として、発信部と受信部とを備え、前記画像表示装置同士が連結された状態で、一方の画像表示装置に設けられた非接触センサと他方の画像表示装置に設けられた非接触センサとを、一方の発信部と他方の受信部とを対向して配置するとともに、一方の受信部と他方の発信部とを対向して配置するように設け、前記画像表示装置同士が複数連結されたとき、前記非接触センサによる検出結果に基づき、複数連結されたそれぞれの画像表示装置の位置を判定する画像表示装置位置判定手段を備えることを特徴とするものである。
【００１１】
また、本発明は、前記画像表示装置の構成として、矩形状の表示画面を備え、前記非接触センサを、前記表示画面の周囲の各側面に各々設けることが好ましい。
【００１２】
また、本発明は、前記非接触センサの構成として、前記表示画面の周囲の各側面に第１センサから第ｎセンサを含むｎ個のセンサを備え、前記画像表示装置位置判定手段を、前記第１センサから前記第ｎセンサによる検出結果に基づき、複数連結されたそれぞれの画像表示装置の位置を判定することが好ましい。
なお、本発明において、ｎは２以上の正の整数とするものとする。
【００１３】
また、本発明は、前記第ｎセンサの検出状態を、同一画像表示装置内の対辺側の第（ｎ−１）センサの検出結果に基づいて決定することが好ましい。
【００１４】
また、本発明は、前記非接触センサの構成として、前記表示画面の周囲の各側面に、所定数以下の前記画像表示装置の各々の位置を検出する第１センサと、所定数を超える前記画像表示装置の各々の位置を検出する第２センサと、を備え、前記画像表示装置位置判定手段により、前記第１センサと前記第２センサとによる検出結果に基づき、複数連結されたそれぞれの画像表示装置の位置を判定することが好ましい。
【００１５】
また、本発明は、前記第２センサは、同一画像表示装置内の対辺側の第１センサによる検出結果に基づいて、出力信号を発信することを特徴とする請求項５に記載の画像表示装置。
【００１６】
また、本発明は、前記画像表示装置位置判定手段により、前記非接触センサからの出力信号に応じて作成された複数の画像表示装置の位置データに基づき、連結されたそれぞれの画像表示装置の位置を判定することが好ましい。
【００１７】
また、本発明は、前記画像表示装置に表示される表示画像情報が、前記画像表示装置位置判定手段により判定された位置の画像表示装置に送信されることが好ましい。
【発明の効果】
【００１８】
本発明の画像表示装置によれば、複数の画像表示装置を連結することで多画面の表示装置を構成可能な画像表示装置において、前記画像表示装置同士が連結されるときに隣接する位置に、非接触センサを設け、前記非接触センサの構成として、発信部と受信部とを備え、前記画像表示装置同士が連結された状態で、一方の画像表示装置に設けられた非接触センサと他方の画像表示装置に設けられた非接触センサとを、一方の発信部と他方の受信部とを対向して配置するとともに、一方の受信部と他方の発信部とを対向して配置するように設け、前記画像表示装置同士が複数連結されたとき、前記非接触センサによる検出結果に基づき、複数連結されたそれぞれの画像表示装置の位置を判定する画像表示装置位置判定手段を備えることで、複数の画像表示装置を連結して大画面の画像表示装置を構成する際に、それぞれの画像表示装置の位置を検出する位置検知用部品を設けて外部に露出したり、突出させたりすることなく、また、電気性能的及び劣化回避の為のカバーやシャッター機構を設けることなく、それぞれの画像表示装置の位置を自動検出する事が可能となる。これにより、隣接する画像表示装置間の接続を無くすことができるので、複数の画像表示装置を連結して配置する際の設置作業を容易にして作業性の向上を図ることができる。
【図面の簡単な説明】
【００１９】
【図１】本発明の第１実施形態に係る画像表示装置の概略の構成を示す説明図である。
【図２】前記画像表示装置の電気的構成を示すブロック図である。
【図３】前記画像表示装置を９台連結したマルチ表示装置の構成を示す説明図である。
【図４】前記マルチ表示装置を構成するそれぞれの画像表示装置における第１センサの検知状態を示すマトリクス表である。
【図５】特定された画像表示装置に画像を配信する状態を示す説明図である。
【図６】本発明の第２実施形態に係る画像表示装置の概略の構成を示す説明図である。
【図７】前記画像表示装置の電気的構成を示すブロック図である。
【図８】前記画像表示装置を上下方向で連結したマルチ表示装置の構成を示す説明図である。
【図９】前記画像表示装置を複数連結したマルチ表示装置の構成を示す説明図である。
【図１０】前記マルチ表示装置を構成するそれぞれの画像表示装置における第１センサおよび第２センサの検知状態を示すマトリクス表である。
【図１１】特定された画像表示装置に画像を配信する状態を示す説明図である。
【図１２】本発明の第３実施形態に係る画像表示装置の概略の構成を示す説明図である。
【図１３】前記画像表示装置の電気的構成を示すブロック図である。
【図１４】前記画像表示装置を複数連結したマルチ表示装置の配列を示す説明図である。
【図１５】前記画像表示装置の表示画面の各側面に第１センサ、第２センサ、第３センサを配置した構成を示す説明図である。
【図１６】前記マルチ表示装置を構成するそれぞれの画像表示装置における第１センサ、第２センサ、第３センサの検知状態を示すマトリクス表である。
【発明を実施するための形態】
【００２０】
（第１実施形態）
以下、本発明の画像表示装置を実施するための形態について図面を参照して説明する。
図１は発明を実施する形態の一例であって、本発明の第１実施形態に係る画像表示装置の概略の構成を示す説明図、図２は前記画像表示装置の電気的構成を示すブロック図である。
【００２１】
第１実施形態に係る画像表示装置１００は、図１，図２に示すように、画像表示を行う表示画面１１０と、表示画面１１０への画像表示を制御する制御部１２０を備えて、複数の画像表示装置を連結することで多画面の表示装置を構成可能な画像表示装置１００において、本発明に係る画像表示装置の構成を採用したものである。
【００２２】
画像表示装置１００は、図１に示すように、表示画面１１０において、画像表示装置１００同士が連結されるときに隣接する表示画面１１０の周囲の各側面１１０Ｎ，１１０Ｓ，１１０Ｗ，１１０Ｅに、第１センサ（非接触センサ）Ｓ１（Ｓ１Ｎ，Ｓ１Ｓ，Ｓ１Ｗ，Ｓ１Ｅ）を備えたことを特徴としている。
【００２３】
ここで、第１センサＳ１について、表示画面１１０の周囲の側面１１０Ｓに設けられた第１センサＳ１Ｓを例に挙げて説明する。
【００２４】
第１センサＳ１Ｓは、発信部Ｓ１Ｓａと受信部Ｓ１Ｓｂとを備え、画像表示装置１００同士が連結された状態で、一方の画像表示装置１００に設けられた第１センサＳ１Ｓと他方の画像表示装置１００に設けられた第１センサＳ１Ｎとが、一方の発信部Ｓ１Ｓａと他方の受信部Ｓ１Ｎｂとが対向して配置されるとともに、一方の受信部Ｓ１Ｓｂと他方の発信部Ｓ１Ｎａとが対向して配置されるように設けられている。
【００２５】
第１センサＳ１Ｎ，Ｓ１Ｓ，Ｓ１Ｗ，Ｓ１Ｅは、図２に示すように、制御部１２０に接続されている。
【００２６】
制御部１２０は、表示制御部１２１を備えるとともに、画像表示装置位置判定部１２２を備えることを特徴としている。
【００２７】
表示制御部１２１は、表示画面１１０に表示される画像情報の表示を制御する。
【００２８】
画像表示装置位置判定部１２２は、画像表示装置１００同士が複数連結されたとき、第１センサＳ１Ｎ，Ｓ１Ｓ，Ｓ１Ｗ，Ｓ１Ｅによる検出結果に基づき、連結されたそれぞれの画像表示装置１００の位置を判定する。
【００２９】
次に、第１実施形態の画像表示装置１００を複数連結したときのそれぞれの画像表示装置１００の位置の判定について図面を参照して説明する。
図３は本発明の第１実施形態に係る画像表示装置を９台連結したマルチ表示装置の構成を示す説明図、図４は前記マルチ表示装置を構成するそれぞれの画像表示装置における第１センサの検知状態を示すマトリクス表、図５は特定された画像表示装置に画像を配信する状態を示す説明図である。
【００３０】
第１実施形態では、図３に示すように、画像表示装置１００を縦３列、横３列配置して、９台の画像表示装置１００により大画面のマルチ表示装置が構成されている。
【００３１】
画像表示装置１００の配列は、図３に示すように、図中左上より右下に向かって、Ａ，Ｂ，Ｃ，・・・Ｇ，Ｈ，Ｉと配置されている。
【００３２】
ここで、第１センサの説明において、一般に「第１センサ」、「発信部」、「受信部」を示す場合は、符号をそれぞれ、第１センサＳ１、発信部Ｓ１ａ、受信部Ｓ１ｂとするものとする。そして、各センサの発信部及び受信部の符号は、図１を参照するものとする。
【００３３】
第１センサＳ１において、発信部Ｓ１ａは通常ＯＮ状態であり、受信部Ｓ１ｂにおいて、受信された場合は「１」、受信されていない場合は「０」とする。
【００３４】
画像表示装置１００（Ａ）では、第１センサＳ１Ｎは、他のセンサが隣接配置されていないため、受信部Ｓ１Ｎｂが「０」となる。
第１センサＳ１Ｓは、画像表示装置１００（Ｄ）の第１センサＳ１Ｎが隣接配置されているため、受信部Ｓ１Ｓｂが「１」となる。
第１センサＳ１Ｗは、他のセンサが隣接配置されていないため、受信部Ｓ１Ｗｂが「０」となる。
第１センサＳ１Ｅは、画像表示装置１００（Ｂ）の第１センサＳ１Ｗが隣接配置されているため、受信部Ｓ１Ｅｂが「１」となる。
【００３５】
このようにして、画像表示装置１００（Ａ）〜１００（Ｉ）における第１センサＳ１Ｎ，Ｓ１Ｓ，Ｓ１Ｗ，Ｓ１Ｅの検知状態を、図４に示すように、マトリクス表にて設定する。
【００３６】
画像表示装置位置判定部１２２は、それぞれの画像表示装置１００の第１センサＳ１Ｎ，Ｓ１Ｓ，Ｓ１Ｗ，Ｓ１Ｓの検知結果と、図４に示すマトリクス表の設定内容とを対比させて、画像表示装置１００の配置された位置を判定する。
【００３７】
このようにして、複数の画像表示装置１００により構成されるマルチ表示装置において、それぞれの画像表示装置１００の位置を特定することができる。これにより、それぞれの画像表示装置１００に対応する画像（映像）を容易に配信して表示することができる。
【００３８】
具体的には、第１センサＳ１による検知結果を（Ｎ，Ｓ，Ｗ，Ｅ）とすると、例えば、画像表示装置１００（Ａ）は、図４に示すように、（０，１，０，１）となる。
従って、図５に示すように、画像表示装置１００（Ａ）には、位置（０，１，０，１）用の画像（映像）を配信する。以下同様に、画像表示装置１００（Ｂ）には位置（０，１，１，１）用の画像（映像）、画像表示装置１００（Ｃ）には位置（０，１，１，０）用の画像（映像）、というように画像表示装置１００の配置位置に対応する画像（映像）を簡単に配信することができる。
【００３９】
以上のように構成したので、第１実施形態によれば、画像表示装置１００において、画像表示装置同士が連結されるときに隣接する位置に発信部Ｓ１ａと受信部Ｓ１ｂを有する第１センサＳ１を備えるとともに、制御部１２０に画像表示装置位置判定部１２２を備え、画像表示装置同士が複数連結されたとき、第１センサＳ１による検出結果に基づき、複数連結されたそれぞれの画像表示装置１００の位置を判定するようにしたので、複数の画像表示装置１００を連結して大画面のマルチ表示装置を構成する際に、それぞれの画像表示装置１００の位置を検出する位置検知用部品を設けて外部に露出したり、突出させたりすることなく、また、電気性能的及び劣化回避の為のカバーやシャッター機構を設けることなく、それぞれの画像表示装置１００の位置を自動検出することができる。
【００４０】
また、第１実施形態によれば、隣接する画像表示装置１００間の接続を無くすことができるので、複数の画像表示装置１００を連結して配置する際の設置作業を容易にして作業性の向上を図ることができる。
【００４１】
（第２実施形態）
次に、本発明の第２実施形態について図面を参照して説明する。
図６は本発明の第２実施形態に係る画像表示装置の概略の構成を示す説明図、図７は前記画像表示装置の電気的構成を示すブロック図、図８は前記画像表示装置を上下方向で連結したマルチ表示装置の構成を示す説明図、図９は前記画像表示装置を複数連結したマルチ表示装置の構成を示す説明図、図１０は前記マルチ表示装置を構成するそれぞれの画像表示装置における第１センサおよび第２センサの検知状態を示すマトリクス表、図１１は特定された画像表示装置に画像を配信する状態を示す説明図である。
【００４２】
第２実施形態に係る画像表示装置２００は、図６に示すように、表示画面２１０において、画像表示装置２００同士が連結されるときに隣接する表示画面２１０の周囲の各側面２１０Ｎ，２１０Ｓ，２１０Ｗ，２１０Ｅに、第１センサ（非接触センサ）Ｓ１（Ｓ１Ｎ，Ｓ１Ｓ，Ｓ１Ｗ，Ｓ１Ｅ）に加えて、第２センサ（非接触センサ）Ｓ２（Ｓ２Ｎ，Ｓ２Ｓ，Ｓ２Ｗ，Ｓ２Ｅ）を備えたことを特徴としている。
【００４３】
ここで、第１センサＳ１と第２センサＳ２について、表示画面２１０の周囲の側面２１０Ｓに設けられた第１センサＳ１Ｓと第２センサＳ２Ｓを例に挙げて説明する。
【００４４】
第１センサＳ１Ｓは、第１実施形態の第１センサＳ１と同様に構成されているため説明を省略する。
【００４５】
第２センサＳ２Ｓは、発信部Ｓ２Ｓａと受信部Ｓ２Ｓｂとを備え、画像表示装置２００同士が連結された状態で、一方の画像表示装置２００に設けられた第２センサＳ２Ｓと他方の画像表示装置２００に設けられた第２センサＳ２Ｎとが、一方の発信部Ｓ２Ｓａと他方の受信部Ｓ２Ｎｂとが対向して配置されるとともに、一方の受信部Ｓ２Ｓｂと他方の発信部Ｓ２Ｎａとが対向して配置されるように設けられている。
【００４６】
第２実施形態では、第２センサＳ２は、同一画像表示装置２００内の対辺側の第１センサＳ１による検出結果に基づいて出力信号を発信することを特徴としている。
【００４７】
例えば、第２センサＳ２Ｓは、同一画像表示装置２００内の対辺側の第１センサＳ１Ｎの受信部Ｓ１Ｎｂによる検出結果が「１」である場合は、第２センサＳ２Ｓの発信部Ｓ２Ｓａを「ＯＦＦ」とし、第１センサＳ１Ｎの受信部Ｓ１Ｎｂによる検出結果が「０」である場合は、第２センサＳ２Ｓの発信部Ｓ２Ｓａを「ＯＮ」とする。
【００４８】
第２センサＳ２Ｎ，Ｓ２Ｗ，Ｓ２Ｅについても、同様に同一画像表示装置２００内の対辺側の第１センサの受信部による検出結果に基づいて出力信号を発信する。
【００４９】
第１センサＳ１Ｎ，Ｓ１Ｓ，Ｓ１Ｗ，Ｓ１Ｅおよび第２センサＳ２Ｎ，Ｓ２Ｓ，Ｓ２Ｗ，Ｓ２Ｅは、図７に示すように、制御部２２０に接続されている。
【００５０】
制御部２２０は、表示制御部２２１を備えるとともに、画像表示装置位置判定部２２２を備えることを特徴としている。
【００５１】
表示制御部２２１は、表示画面２１０に表示される画像情報の表示を制御する。
【００５２】
画像表示装置位置判定部２２２は、画像表示装置２００同士が複数連結されたとき、第１センサＳ１Ｎ，Ｓ１Ｓ，Ｓ１Ｗ，Ｓ１Ｅおよび第２センサＳ２Ｎ，Ｓ２Ｓ，Ｓ２Ｗ，Ｓ２Ｅによる検出結果に基づき、連結されたそれぞれの画像表示装置２００の位置を判定する。
【００５３】
次に、第２実施形態の画像表示装置２００を複数連結したときのそれぞれの画像表示装置２００の位置の判定について図面を参照して説明する。
【００５４】
まず、図８に示すように、画像表示装置２００が図中縦方向（上下方向）に連結された状態における縦方向（上下方向）の第１センサＳ１および第２センサＳ２の出力について説明する。
【００５５】
画像表示装置２００は、図８に示すように、図中上方より下方に向かって、Ａ，Ｂ，Ｃと配置されている。
【００５６】
画像表示装置２００（Ａ）では、第１センサＳ１Ｎおよび第２センサＳ２Ｎは、他のセンサが隣接配置されていないため、受信部Ｓ１Ｎｂ，Ｓ２Ｎｂが「０」となる。
第１センサＳ１Ｓは、画像表示装置２００（Ｂ）の第１センサＳ１Ｎが隣接配置されているため、受信部Ｓ１Ｓｂが「１」となる。
【００５７】
第２センサＳ２Ｓは、同じ画像表示装置２００（Ａ）内の対面側の第１センサＳ１Ｎが「０」であるため、発信部Ｓ２Ｓａが「ＯＮ」となる。
【００５８】
画像表示装置２００（Ｂ）では、第１センサＳ１Ｎは、画像表示装置２００（Ａ）の第１センサＳ１Ｓが隣接配置されているため、受信部Ｓ１Ｎｂが「１」となる。
第１センサＳ１Ｓは、画像表示装置２００（Ｃ）の第１センサＳ１Ｎが隣接配置されているため、受信部Ｓ１Ｓｂが「１」となる。
【００５９】
第２センサＳ２Ｎは、画像表示装置２００（Ａ）の第２センサＳ２Ｓからの発信を受けて、受信部Ｓ２Ｎｂが「１」となる。そして、第１センサＳ１Ｓが「１」であるため、発信部Ｓ２Ｎａは「ＯＦＦ」となる。これにより、画像表示装置２００（Ａ）の第２センサＳ２Ｓは、受信部Ｓ２Ｓｂが「０」となる。
【００６０】
第２センサＳ２Ｓは、同じ画像表示装置２００（Ｂ）内の対面側の第１センサＳ１Ｎの受信部が「１」であるため、発信部Ｓ２Ｓａが「ＯＦＦ」となる。
【００６１】
画像表示装置２００（Ｃ）では、第１センサＳ１Ｎは、画像表示装置２００（Ｂ）の第１センサＳ１Ｓが隣接配置されているため、受信部Ｓ１Ｎｂが「１」となる。
第１センサＳ１Ｓおよび第２センサＳ２Ｓは、他のセンサが隣接配置されていないため、受信部Ｓ１Ｓｂ，Ｓ２Ｓｂが「０」となる。
【００６２】
第２センサＳ２Ｎは、画像表示装置２００（Ｂ）の第２センサＳ２Ｓの発信部Ｓ２Ｓａが「ＯＦＦ」であるため「０」となる。そして、第１センサＳ１Ｓが「０」であるため、発信部Ｓ２Ｎａは「ＯＮ」となる。これにより、画像表示装置２００（Ｂ）の第２センサＳ２Ｓは「１」となる。
【００６３】
第２センサＳ２Ｓは、同じ画像表示装置２００（Ｃ）内の対面側の第１センサＳ１Ｎが「１」であるため、発信部Ｓ２Ｓａが「ＯＦＦ」となる。
【００６４】
このように、それぞれの画像表示装置２００において、表示画面２１０の側面２１０Ｎ，２１０Ｓにおける第１センサＳ１Ｎ，Ｓ１Ｓと第２センサＳ２Ｎ，Ｓ２Ｓの発信および受信が行われる。
【００６５】
次に、画像表示装置２００を複数連結して大画面のマルチ表示装置を構成した際のそれぞれの画像表示装置２００の位置の判定について説明する。
【００６６】
第２実施形態では、図９に示すように、画像表示装置２００を縦５列、横５列配置して、２５台の画像表示装置２００により大画面のマルチ表示装置が構成されている。
【００６７】
画像表示装置２００の配列は、図９に示すように、図中左上より右下に向かって、Ａ，Ｂ，Ｃ，・・・Ｗ，Ｘ，Ｙと配置されている。
【００６８】
画像表示装置２００（Ａ）では、第１センサＳ１Ｎおよび第２センサＳ２Ｎは、他のセンサが隣接配置されていないため、受信部１Ｎｂ，２Ｎｂが「０」となる。
【００６９】
第１センサＳ１Ｓは、画像表示装置２００（Ｆ）の第１センサＳ１Ｎが隣接配置されているため、受信部１Ｓｂが「１」となる。
【００７０】
第１センサＳ１Ｗは、他のセンサが隣接配置されていないため、受信部１Ｗｂが「０」となる。
【００７１】
第１センサＳ１Ｅは、画像表示装置２００（Ｂ）の第１センサＳ１Ｗが隣接配置されているため、受信部１Ｅｂが「１」となる。
【００７２】
第２センサＳ２Ｎは、同じ画像表示装置２００（Ａ）内の対面側の第１センサＳ１Ｓの受信部１Ｓｂが「１」であるため、発信部２Ｓａが「ＯＦＦ」となる。
【００７３】
第２センサＳ２Ｓは、同じ画像表示装置２００（Ａ）内の対面側の第１センサＳ１Ｎの受信部１Ｎｂが「０」であるため、発信部２Ｓａが「ＯＮ」となる。
【００７４】
第２センサＳ２Ｗは、他のセンサが隣接配置されていないため、受信部２Ｗｂが「０」となる。
【００７５】
第２センサＳ２Ｅは、同じ画像表示装置２００（Ａ）内の対面側の第１センサＳ１Ｗの受信部１Ｗｂが「０」であるため、発信部２Ｅａが「ＯＮ」となる。
【００７６】
画像表示装置２００（Ｂ）では、第１センサＳ１Ｎおよび第２センサＳ２Ｎは、他のセンサが隣接配置されていないため、受信部１Ｎｂ，２Ｎｂが「０」となる。
【００７７】
第１センサＳ１Ｓは、画像表示装置２００（Ｇ）の第１センサＳ１Ｎが隣接配置されているため、受信部１Ｓｂが「１」となる。
【００７８】
第１センサＳ１Ｗは、画像表示装置２００（Ａ）の第１センサＳ１Ｅが隣接配置されているため、受信部Ｓ１Ｗｂが「１」となる。
【００７９】
第１センサＳ１Ｅは、画像表示装置２００（Ｃ）の第１センサＳ１Ｗが隣接配置されているため、受信部１Ｅｂが「１」となる。
【００８０】
第２センサＳ２Ｎは、同じ画像表示装置２００（Ｂ）内の対面側の第１センサＳ１Ｓの受信部１Ｓｂが「１」であるため、発信部２Ｎａが「ＯＦＦ」となる。
【００８１】
第２センサＳ２Ｓは、同じ画像表示装置２００（Ｂ）内の対面側の第１センサＳ１Ｎの受信部１Ｎｂが「０」であるため、発信部２Ｓａが「ＯＮ」となる。
【００８２】
第２センサＳ２Ｗは、隣接配置された画像表示装置２００（Ａ）の第２センサＳ２Ｅの発信部２Ｅａが「ＯＮ」とされているため、受信部２Ｗｂが「１」となる。そして、同じ画像表示装置２００（Ｂ）内の対面側の第１センサＳ１Ｅの受信部１Ｅｂが「１」であるため、発信部２Ｗａが「ＯＦＦ」となる。
【００８３】
第２センサＳ２Ｅは、同じ画像表示装置２００（Ｂ）内の対面側の第１センサＳ１Ｗの受信部１Ｗｂが「１」であるため、発信部２Ｅａが「ＯＦＦ」となる。
【００８４】
このようにして、画像表示装置２００（Ａ）〜２００（Ｙ）における第１センサＳ１Ｎ，Ｓ１Ｓ，Ｓ１Ｗ，Ｓ１Ｅおよび第２センサＳ２Ｎ，Ｓ２Ｓ，Ｓ２Ｗ，Ｓ２Ｅの検知状態を、図１０に示すように、マトリクス表にて設定する。
【００８５】
画像表示装置位置判定部２２２は、マルチ表示装置におけるそれぞれの画像表示装置２００の第１センサＳ１Ｎ，Ｓ１Ｓ，Ｓ１Ｗ，Ｓ１Ｅおよび第２センサＳ２Ｎ，Ｓ２Ｓ，Ｓ２Ｗ，Ｓ２Ｅの検知結果と、図１０に示すマトリクス表の設定内容とを対比させて、画像表示装置１００の配置された位置を判定する。
【００８６】
このようにして、複数の画像表示装置２００により構成されるマルチ表示装置において、それぞれの画像表示装置２００の位置を特定することができる。これにより、それぞれの画像表示装置２００に対応する画像（映像）を容易に配信して表示することができる。
【００８７】
具体的には、第１センサＳ１および第２センサＳ２による検知結果を（Ｎ１，Ｎ２，Ｓ１，Ｓ２，Ｗ１，Ｗ２，Ｅ１，Ｅ２）とすると、例えば、画像表示装置２００（Ａ）は、図１０に示すように、（０，０，１，０，０，０，１，０）となる。
従って、図１１に示すように、画像表示装置２００（Ａ）には、位置（０，０，１，０，０，０，１，０）用の画像（映像）を配信する。以下同様に、それぞれの画像表示装置２００の配置位置に対応する画像（映像）を簡単に配信することができる。
【００８８】
以上のように構成したので、第２実施形態によれば、画像表示装置２００において、画像表示装置同士が連結されるときに隣接する位置に９台以下の画像表示装置２００の各々の位置を検出する第１センサＳ１と、９台を超える画像表示装置２００の各々の位置を検出する第２センサＳ２とを備えるとともに、制御部２２０に画像表示装置位置判定部２２２を備え、画像表示装置同士が複数連結されたとき、第１センサＳ１と第２センサＳ２による検出結果に基づき、複数連結されたそれぞれの画像表示装置２００の位置を判定するようにしたので、９台を超える複数の画像表示装置２００を連結して大画面のマルチ表示装置を構成する際に、それぞれの画像表示装置２００の位置を検出する位置検知用部品を設けて外部に露出したり、突出させたりすることなく、また、電気性能的及び劣化回避の為のカバーやシャッター機構を設けることなく、それぞれの画像表示装置２００の位置を自動検出することができる。
【００８９】
また、第２実施形態によれば、第１実施形態と同様に、隣接する画像表示装置２００間の接続を無くすことができるので、複数の画像表示装置２００を連結して配置する際の設置作業を容易にして作業性の向上を図ることができる。
【００９０】
（第３実施形態）
次に、本発明の第３実施形態について図面を参照して説明する。
図１２は本発明の第３実施形態に係る画像表示装置の概略の構成を示す説明図、図１３は前記画像表示装置の電気的構成を示すブロック図、図１４は前記画像表示装置を複数連結したマルチ表示装置の配列を示す説明図、図１５は前記画像表示装置の表示画面の各側面に第１センサ、第２センサ、第３センサを配置した構成を示す説明図、図１６は前記マルチ表示装置を構成するそれぞれの画像表示装置における第１センサ、第２センサ、第３センサの検知状態を示すマトリクス表である。
【００９１】
第３実施形態に係る画像表示装置３００は、図１２に示すように、表示画面３１０において、画像表示装置３００同士が連結されるときに隣接する表示画面３１０の周囲の各側面３１０Ｎ，３１０Ｓ，３１０Ｗ，３１０Ｅに、それぞれ第１センサ（非接触センサ）Ｓ１（Ｓ１Ｎ，Ｓ１Ｓ，Ｓ１Ｗ，Ｓ１Ｅ）から第ｎセンサ（非接触センサ）Ｓｎ（ＳｎＮ，ＳｎＳ，ＳｎＷ，ＳｎＥ）のｎ個のセンサを備えたことを特徴としている。
【００９２】
各部のセンサの構成は、第１実施形態に示すセンサと同様に構成されているため説明を省略する。
【００９３】
第３実施形態では、第ｎセンサＳｎは、同一画像表示装置２００内の対辺側の第（ｎ−１）センサＳ（ｎ−１）による検出結果に基づいて出力信号を発信することを特徴としている。
【００９４】
例えば、第ｎセンサＳｎＮは、同一画像表示装置３００内の対辺側の第（ｎ−１）センサＳ（ｎ−１）Ｓの受信部Ｓ（ｎ−１）Ｓｂによる検出結果が「１」である場合は、第ｎセンサＳｎＮの発信部ＳｎＮａを「ＯＦＦ」とし、第（ｎ−１）センサＳ（ｎ−１）Ｓの受信部Ｓ（ｎ−１）Ｓｂによる検出結果が「０」である場合は、第ｎセンサＳｎＳの発信部ＳｎＳａを「ＯＮ」とする。
【００９５】
第ｎセンサＳｎＳは、同一画像表示装置３００内の対辺側の第（ｎ−１）センサＳ（ｎ−１）Ｎの受信部Ｓ（ｎ−１）Ｎｂによる検出結果が「１」である場合は、第ｎセンサＳｎＳの発信部ＳｎＳａを「ＯＦＦ」とし、第（ｎ−１）センサＳ（ｎ−１）Ｎの受信部Ｓ（ｎ−１）Ｎｂによる検出結果が「０」である場合は、第ｎセンサＳｎＳの発信部ＳｎＳａを「ＯＮ」とする。
【００９６】
第ｎセンサＳｎＷは、同一画像表示装置３００内の対辺側の第（ｎ−１）センサＳ（ｎ−１）Ｅの受信部Ｓ（ｎ−１）Ｅｂによる検出結果が「１」である場合は、第ｎセンサＳｎＷの発信部ＳｎＷａを「ＯＦＦ」とし、第（ｎ−１）センサＳ（ｎ−１）Ｅの受信部Ｓ（ｎ−１）Ｅｂによる検出結果が「０」である場合は、第ｎセンサＳｎＷの発信部ＳｎＷａを「ＯＮ」とする。
【００９７】
第ｎセンサＳｎＥは、同一画像表示装置３００内の対辺側の第（ｎ−１）センサＳ（ｎ−１）Ｗの受信部Ｓ（ｎ−１）Ｗｂによる検出結果が「１」である場合は、第ｎセンサＳｎＥの発信部ＳｎＥａを「ＯＦＦ」とし、第（ｎ−１）センサＳ（ｎ−１）Ｗの受信部Ｓ（ｎ−１）Ｗｂによる検出結果が「０」である場合は、第ｎセンサＳｎＥの発信部ＳｎＥａを「ＯＮ」とする。
【００９８】
第１センサＳ１Ｎ，Ｓ１Ｓ，Ｓ１Ｗ，Ｓ１Ｅからび第ｎセンサＳｎＮ，ＳｎＳ，ＳｎＷ，ＳｎＥは、図１３に示すように、制御部３２０に接続されている。
【００９９】
制御部３２０は、表示制御部３２１を備えるとともに、画像表示装置位置判定部３２２を備えることを特徴としている。
【０１００】
表示制御部３２１は、表示画面３１０に表示される画像情報の表示を制御する。
【０１０１】
画像表示装置位置判定部３２２は、画像表示装置３００同士が複数連結されたとき、第１センサＳ１Ｎ，Ｓ１Ｓ，Ｓ１Ｗ，Ｓ１Ｅから第ｎセンサＳｎＮ，ＳｎＳ，ＳｎＷ，ＳｎＥによる検出結果に基づき、連結されたそれぞれの画像表示装置３００の位置を判定する。
【０１０２】
次に、画像表示装置３００を複数連結して大画面のマルチ表示装置を構成した際のそれぞれの画像表示装置３００の位置の判定について説明する。
【０１０３】
ここでは、３個のセンサを設けた画像表示装置３００を縦６列、横６列配置して、３６台の画像表示装置３００により大画面のマルチ表示装置について説明する。
【０１０４】
画像表示装置３００には、図１４に示すように、表示画面３１０において、画像表示装置３００同士が連結されるときに隣接する表示画面３１０の周囲の各側面３１０Ｎ，３１０Ｓ，３１０Ｗ，３１０Ｅに、第１センサＳ１Ｎ，Ｓ１Ｓ，Ｓ１Ｗ，Ｓ１Ｅ、第２センサＳ２Ｎ，Ｓ２Ｓ，Ｓ２Ｗ，Ｓ２Ｅ、第３センサＳ３Ｎ，Ｓ３Ｓ，Ｓ３Ｗ，Ｓ３Ｅ、を備えている。
【０１０５】
画像表示装置３００の配列は、図１５に示すように、図中左上より右下に向かって、Ａ，Ｂ，Ｃ，・・・Ｘ，Ｙ，Ｚ，ＡＡ，ＡＢ，ＡＣ，・・・ＡＪ、と配置されている。
【０１０６】
画像表示装置３００（Ａ）では、第１センサＳ１Ｎ、第２センサＳ２Ｎ、第３センサＳ３Ｎは、他のセンサが隣接配置されていないため、受信部Ｓ１Ｎｂ，Ｓ２Ｎｂ，Ｓ３Ｎｂが「０」となる。
【０１０７】
第１センサＳ１Ｓは、画像表示装置３００（Ｇ）の第１センサＳ１Ｎが隣接配置されているため、受信部Ｓ１Ｓｂが「１」となる。
【０１０８】
第１センサＳ１Ｗは、他のセンサが隣接配置されていないため、受信部Ｓ１Ｗｂが「０」となる。
【０１０９】
第１センサＳ１Ｅは、画像表示装置３００（Ｂ）の第１センサＳ１Ｗが隣接配置されているため、受信部Ｓ１Ｅｂが「１」となる。
【０１１０】
第２センサＳ２Ｎは、同じ画像表示装置３００（Ａ）内の対面側の第１センサＳ１Ｓの受信部Ｓ１Ｓｂが「１」であるため、発信部Ｓ２Ｓａが「ＯＦＦ」となる。
【０１１１】
第２センサＳ２Ｓは、同じ画像表示装置３００（Ａ）内の対面側の第１センサＳ１Ｎの受信部Ｓ１Ｎｂが「０」であるため、発信部Ｓ２Ｓａが「ＯＮ」となる。また、画像表示装置３００（Ｇ）の第２センサＳ２Ｎの発信部Ｓ２Ｎａが「ＯＦＦ」となるため、第２センサＳ２Ｓの受信部Ｓ２Ｓｂが「０」となる。
【０１１２】
第２センサＳ２Ｗは、他のセンサが隣接配置されていないため、受信部Ｓ２Ｗｂが「０」となる。
【０１１３】
第２センサＳ２Ｅは、同じ画像表示装置３００（Ａ）内の対面側の第１センサＳ１Ｗの受信部１Ｗｂが「０」であるため、発信部Ｓ２Ｅａが「ＯＮ」となる。また、画像表示装置３００（Ｂ）の第２センサＳ２Ｗの発信部Ｓ２Ｗａが「ＯＦＦ」となるため、第２センサＳ２Ｅの受信部Ｓ２Ｅｂが「０」となる。
【０１１４】
第３センサＳ３Ｎは、同じ画像表示装置３００（Ａ）内の対面側の第２センサＳ２Ｓの受信部Ｓ２Ｓｂが「０」であるため、発信部Ｓ２Ｓａが「ＯＦＦ」となる。
【０１１５】
第３センサＳ３Ｓは、同じ画像表示装置３００（Ａ）内の対面側の第２センサＳ２Ｎの受信部Ｓ２Ｎｂが「０」であるため、発信部Ｓ３Ｓａが「ＯＮ」となる。また、画像表示装置３００（Ｇ）の第３センサＳ３Ｎの発信部Ｓ３Ｎａが「ＯＮ」となるため、第３センサＳ３Ｓの受信部Ｓ３Ｓｂが「１」となる。
【０１１６】
第３センサＳ３Ｗは、他のセンサが隣接配置されていないため、受信部Ｓ３Ｗｂが「０」となる。
【０１１７】
第３センサＳ３Ｅは、同じ画像表示装置３００（Ａ）内の対面側の第２センサＳ２Ｗの受信部Ｓ２Ｗｂが「０」であるため、発信部Ｓ３Ｅａが「ＯＮ」となる。また、画像表示装置３００（Ｂ）の第３センサＳ３Ｗの発信部Ｓ３Ｗａが「ＯＮ」となるため、第３センサＳ３Ｅの受信部Ｓ３Ｅｂが「１」となる。
【０１１８】
画像表示装置２００（Ｂ）では、第１センサＳ１Ｎ、第２センサＳ２Ｎ、第３センサＳ３Ｎは、他のセンサが隣接配置されていないため、受信部Ｓ３Ｎｂ，Ｓ３Ｎｂ，Ｓ３Ｎｂが「０」となる。
【０１１９】
第１センサＳ１Ｓは、画像表示装置３００（Ｈ）の第１センサＳ１Ｎが隣接配置されているため、受信部Ｓ１Ｓｂが「１」となる。
【０１２０】
第１センサＳ１Ｗは、画像表示装置３００（Ａ）の第１センサＳ１Ｅが隣接配置されているため、受信部Ｓ１Ｗｂが「１」となる。
【０１２１】
第１センサＳ１Ｅは、画像表示装置３００（Ｃ）の第１センサＳ１Ｗが隣接配置されているため、受信部Ｓ１Ｅｂが「１」となる。
【０１２２】
第２センサＳ２Ｎは、同じ画像表示装置３００（Ｂ）内の対面側の第１センサＳ１Ｓの受信部Ｓ１Ｓｂが「１」であるため、発信部Ｓ２Ｎａが「ＯＦＦ」となる。
【０１２３】
第２センサＳ２Ｓは、同じ画像表示装置３００（Ｂ）内の対面側の第１センサＳ１Ｎの受信部Ｓ１Ｎｂが「０」であるため、発信部Ｓ２Ｓａが「ＯＮ」となる。また、画像表示装置３００（Ｈ）の第２センサＳ２Ｎの発信部Ｓ２Ｎａが「ＯＦＦ」となるため、第２センサＳ２Ｓの受信部Ｓ２Ｓｂが「０」となる。
【０１２４】
第２センサＳ２Ｗは、隣接配置された画像表示装置３００（Ａ）の第２センサＳ２Ｅの発信部Ｓ２Ｅａが「ＯＮ」とされているため、受信部Ｓ２Ｗｂが「１」となる。そして、同じ画像表示装置３００（Ｂ）内の対面側の第１センサＳ１Ｅの受信部Ｓ１Ｅｂが「１」であるため、発信部Ｓ２Ｗａが「ＯＦＦ」となる。
【０１２５】
第２センサＳ２Ｅは、同じ画像表示装置３００（Ｂ）内の対面側の第１センサＳ１Ｗの受信部Ｓ１Ｗｂが「１」であるため、発信部Ｓ２Ｅａが「ＯＦＦ」となる。また、画像表示装置３００（Ｃ）の第２センサＳ２Ｗの発信部Ｓ２Ｗａが「ＯＦＦ」となるため、第２センサＳ２Ｅの受信部Ｓ２Ｅｂが「０」となる。
【０１２６】
第３センサＳ３Ｎは、同じ画像表示装置３００（Ｂ）内の対面側の第２センサＳ２Ｓの受信部Ｓ１Ｓｂが「０」であるため、発信部Ｓ３Ｎａが「ＯＮ」となる。
【０１２７】
第３センサＳ３Ｓは、同じ画像表示装置２００（Ｂ）内の対面側の第２センサＳ２Ｎの受信部Ｓ２Ｎｂが「０」であるため、発信部２Ｓａが「ＯＮ」となる。また、画像表示装置３００（Ｈ）の第３センサＳ３Ｎの発信部Ｓ３Ｎａが「ＯＮ」となるため、第３センサＳ３Ｓの受信部Ｓ３Ｓｂが「１」となる。
【０１２８】
第３センサＳ３Ｗは、隣接配置された画像表示装置３００（Ａ）の第２センサＳ２Ｅの発信部Ｓ２Ｅａが「ＯＮ」とされているため、受信部Ｓ３Ｗｂが「１」となる。そして、同じ画像表示装置３００（Ｂ）内の対面側の第２センサＳ２Ｅの受信部Ｓ２Ｅｂが「０」であるため、発信部Ｓ３Ｗａが「ＯＦＦ」となる。
【０１２９】
第３センサＳ３Ｅは、同じ画像表示装置３００（Ｂ）内の対面側の第２センサＳ２Ｗの受信部Ｓ２Ｗｂが「１」であるため、発信部Ｓ３Ｅａが「ＯＦＦ」となる。また、画像表示装置３００（Ｃ）の第３センサＳ３Ｗの発信部Ｓ３Ｗａが「ＯＮ」となるため、第３センサＳ３Ｅの受信部Ｓ３Ｅｂが「１」となる。
【０１３０】
このようにして、画像表示装置３００（Ａ）〜３００（ＡＪ）における第１センサＳ１Ｎ，Ｓ１Ｓ，Ｓ１Ｗ，Ｓ１Ｅから第３センサＳ３Ｎ，Ｓ３Ｓ，Ｓ３Ｗ，Ｓ３Ｅの検知状態を、図１６に示すように、マトリクス表にて設定する。
【０１３１】
画像表示装置位置判定部３２２は、マルチ表示装置におけるそれぞれの画像表示装置３００の第１センサＳ１Ｎ，Ｓ１Ｓ，Ｓ１Ｗ，Ｓ１Ｅから第３センサＳ３Ｎ，Ｓ３Ｓ，Ｓ３Ｗ，Ｓ３Ｅの検知結果と、図１６に示すマトリクス表の設定内容とを対比させて、画像表示装置３００の配置された位置を判定する。
【０１３２】
このようにして、複数の画像表示装置３００により構成されるマルチ表示装置において、それぞれの画像表示装置３００の位置を特定することができる。これにより、それぞれの画像表示装置３００に対応する画像（映像）を容易に配信して表示することができる。
【０１３３】
次に、本発明に係る画像表示装置における、センサ検知による画像表示装置の位置を判定する特徴的なアルゴリズムについて説明する。
【０１３４】
ここでは、第３実施形態における画像表示装置３００を複数連結したマルチ表示装置の配列の一例を示す図１４と、センサ検知状態を示すマトリクス表の一例を示す図１５を参照して説明する。
【０１３５】
図１２に示すように、画像表示装置３００の表示画面３１０の周囲の側面３１０Ｎに設けられる第１センサＳ１Ｎ・・・第（ｎ−１）センサＳ（ｎ−１）Ｎ、第ｎセンサＳｎＮの検出に基づき判定される。
【０１３６】
（手順１）
まず、第１センサＳ１Ｎの検出結果を確認する。
第１センサＳ１Ｎが「０」の場合は、側面３１０Ｎの図中上側に画像表示装置３００が存在しないので、最上部の横１列目であると判定される。そして、画像表示装置３００の位置の判定は終了する。
第１センサＳ１Ｎが「１」の場合は、手順２に移る。
【０１３７】
（手順２）
第２センサＳ２Ｎの検出結果を確認する。
第２センサＳ２Ｎが「１」の場合は、図中上側に横１列目の画像表示装置３００が存在すると判定されて、横２列目であると判定される。そして、画像表示装置３００の位置の判定は終了する。
第２センサＳ２Ｎが「０」の場合は、手順３に移る。
【０１３８】
（手順３）
第３センサＳ３Ｎの検出結果を確認する。
第３センサＳ３Ｎが「０」の場合は、図中上側に横２列目の画像表示装置３００が存在すると判定されて、３列目であると判定される。そして、画像表示装置３００の位置の判定は終了する。
第３センサＳ３Ｎが「０」の場合は、手順４に移る。
【０１３９】
（手順ｎ−１）
第（ｎ−１）センサＳ（ｎ−１）Ｎの検出結果を確認する。
第（ｎ−１）センサＳ（ｎ−１）Ｎが「Ｘ」の場合は、（ｎ−１）列目であると判定される。そして、画像表示装置３００の位置の判定は終了する。
ここで、「Ｘ」は、（ｎ−１）が偶数の場合は「１」、（ｎ−１）が奇数の場合は「０」とする。
第（ｎ−１）センサＳ３Ｎが「Ｘ」ではない場合は、手順ｎに移る。
【０１４０】
（手順ｎ）
第ｎセンサＳｎＮの検出結果を確認する。
第ｎセンサＳｎＮが「Ｘ」の場合は、ｎ列目であると判定される。そして、画像表示装置３００の位置の判定は終了する。
ここで、「Ｘ」は、ｎが偶数の場合は「１」、ｎが奇数の場合は「０」とする。
【０１４１】
画像表示装置３００の表示画面３１０の周囲の側面３１０Ｓ，３１０Ｗ，３１０Ｅにおけるセンサにおいても、同様な手順が適用できる。
そして、各部センサの判定結果を組み合わせることで画像表示装置３００の正確な位置を判定する。
【０１４２】
以上のように構成したので、第３実施形態によれば、画像表示装置３００において、画像表示装置３００同士が連結されるときに隣接する位置に表示画面３１０の周囲の各側面３１０Ｎ，３１０Ｓ，３１０Ｗ，３１０Ｅに第１センサから第ｎセンサを含むｎ個のセンサを備えるとともに、制御部３２０に画像表示装置位置判定部３２２を備え、画像表示装置位置判定部３２２を、第１センサＳ１から第ｎセンサＳｎによる検出結果に基づき、複数連結されたそれぞれの画像表示装置３００の位置を判定するようにしたので、複数の画像表示装置３００を連結して大画面のマルチ表示装置を構成する際に、それぞれの画像表示装置３００の位置を検出する位置検知用部品を設けて外部に露出したり、突出させたりすることなく、また、電気性能的及び劣化回避の為のカバーやシャッター機構を設けることなく、それぞれの画像表示装置３００の位置を自動検出することができる。
【０１４３】
また、第３実施形態によれば、第１実施形態と同様に、隣接する画像表示装置３００間の接続を無くすことができるので、複数の画像表示装置３００を連結して配置する際の設置作業を容易にして作業性の向上を図ることができる。
【０１４４】
なお、本発明は、上述した実施形態や実施例、変形例に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【符号の説明】
【０１４５】
１００，２００，３００  画像表示装置
１１０，２１０，３１０  表示画面
１１０Ｎ，１１０Ｓ，１１０Ｗ，１１０Ｅ， 
２１０Ｎ，２１０Ｓ，２１０Ｗ，２１０Ｅ，
３１０Ｎ，３１０Ｓ，３１０Ｗ，３１０Ｅ  側面
１２０，２２０，３２０  制御部
１２１，２２１，３２１  表示制御部
１２２，２２２，３２２  画像表示装置位置判定部（画像表示装置位置判定手段）
Ｓ１Ｎ，Ｓ１Ｓ，Ｓ１Ｗ，Ｓ１Ｅ  第１センサ
Ｓ２Ｎ，Ｓ２Ｓ，Ｓ２Ｗ，Ｓ２Ｅ  第２センサ
Ｓ３Ｎ，Ｓ３Ｓ，Ｓ３Ｗ，Ｓ３Ｅ  第３センサ
ＳｎＮ，ＳｎＳ，ＳｎＷ，ＳｎＥ  第ｎセンサ
Ｓ１ａ，Ｓ１Ｎａ，Ｓ１Ｓａ，Ｓ２Ｗａ，Ｓ１Ｅｂ
Ｓ２Ｎａ，Ｓ２Ｓａ，Ｓ２Ｗａ，Ｓ２Ｅａ
Ｓ３Ｎａ，Ｓ３Ｓａ，Ｓ３Ｗａ，Ｓ３Ｅａ，
ＳｎＮａ，ＳｎＳａ，ＳｎＷａ，ＳｎＥａ  発信部
Ｓ１ｂ，Ｓ１Ｎｂ，Ｓ１Ｓｂ，Ｓ１Ｗｂ，Ｓ１Ｅｂ，
Ｓ２Ｎｂ，Ｓ２Ｓｂ，Ｓ２Ｗｂ，Ｓ２Ｅｂ
Ｓ３Ｎｂ，Ｓ３Ｓｂ，Ｓ３Ｗｂ，Ｓ３Ｅｂ  受信部
【図１】
2015069200.tif 000003
【図２】
2015069200.tif 000004
【図３】
2015069200.tif 000005
【図４】
2015069200.tif 000006
【図５】
2015069200.tif 000007
【図６】
2015069200.tif 000008
【図７】
2015069200.tif 000009
【図８】
2015069200.tif 000010
【図９】
2015069200.tif 000011
【図１０】
2015069200.tif 000012
【図１１】
2015069200.tif 000013
【図１２】
2015069200.tif 000014
【図１３】
2015069200.tif 000015
【図１４】
2015069200.tif 000016
【図１５】
2015069200.tif 000017
【図１６】
2015069200.tif 000018